(57)【要約】【課題】カーエアコンなどの車載用制御装置の回転操作部に用いられるクリック付き回転操作型電子部品に関し、明確なクリック感触を確保し、かつ大きなクリック節度が得られるものを提供することを目的とする。【解決手段】下面開口の箱型をしたケース２１の開口部を塞ぐように絶縁基板２２を配し、その内部に回転体２３が回転可能に軸支され、その回転体２３が、下側が大径円柱部２４で、上側がその大径円柱部２４と同心の小径円柱部２７の２層の円柱形状となっており、その大径円柱部２４、小径円柱部２７それぞれの外周面に設けられた凹凸部に、ケース２１の側壁２１Ｃの内側それぞれに配された４つのクリックバネ３３が対向位置で弾接する構成とした。【選択図】図１
2009123481.tif 000002
【特許請求の範囲】
【請求項１】
中央孔を有した下面開口の箱型をしたケースと、中孔を有し、上面に備えられた導電部と電気的に接続した端子が設けられ、上記ケースの開口部を塞ぐように配された絶縁基板と、中間部の下側が大径円柱部で、その下面に摺動子が取り付けられると共に中央から下方に向けて下方軸部が突設され、上側が上記大径円柱部と同心の小径円柱部で、その中央から上方に向けて操作軸部が突設されて、上記下方軸部と上記操作軸部が、上記絶縁基板の中孔と上記ケースの中央孔のそれぞれに軸支されて、上記摺動子が上記絶縁基板の導電部上を摺動可能なように配され、上記大径円柱部と上記小径円柱部のそれぞれの外周面に設けられた凹凸部が、回転中心軸に対してそれぞれ点対称で、かつ上記大径円柱部と上記小径円柱部との間で、円周方向に９０度位置が回転されて相互の凹凸位置関係を合わせて設けたものとされた回転体と、弾性金属板からなり、中央部が膨らんだアーチ状に形成された個々の両端部が上記ケースの各側壁の内側それぞれに保持され、上記側壁に保持された対向する１対が、上記回転体の大径円柱部の凹凸部に弾接し、残りの対向する１対が上記回転体の小径円柱部の凹凸部に弾接するクリックバネと、上記絶縁基板を上記ケースの開口部下端に固定するカバーとからなるクリック付き回転操作型電子部品。
【請求項２】
クリックバネのアーチ状の頂点部に、回転体の大径円柱部または小径円柱部の凹凸部を摺接する弾接突起とその弾接突起の上端にガイド用突部が絶縁樹脂で一体に設けられ、上記ガイド用突部が上記ケースの各側壁面に対して直交方向に設けられた上記ケースの各ガイド用溝に嵌入されている請求項１記載のクリック付き回転操作型電子部品。
【請求項３】
クリックバネに設けられたガイド用突部が、ケースのガイド用溝の端部で規制されて、上記クリックバネの弾接突起が回転体の外周面から離間状態となるように、上記回転体の外周面が所定の回転操作範囲で小径になされた請求項２記載のクリック付き回転操作型電子部品。
【請求項４】
回転体の大径円柱部および小径円柱部の凹凸部を構成する傾斜面において、少なくとも一つの傾斜面が、他の上記凹凸部の傾斜面と異なる傾きとなされた請求項１記載のクリック付き回転操作型電子部品。
【発明の詳細な説明】
【技術分野】
【０００１】
本発明は、カーエアコンなどの車載用制御装置の回転操作部に用いられ、回転操作により大きなクリック節度を発生するクリック付き回転操作型電子部品に関するものである。
【背景技術】
【０００２】
カーエアコンなどの車載用制御装置の回転操作部には、操作性と操作後の設定位置がずれないようにクリック付き回転操作型電子部品が主として使用されており、振動等によるずれ防止や誤操作防止のためにクリック節度も大きなものが要望されている。
【０００３】
このようなクリック付き回転操作型電子部品に用いられる従来のクリック装置について、図１９〜図２０を用いて説明する。
【０００４】
図１９は従来のクリック装置の断面図、図２０は従来の他の形態のクリック装置の断面図である。
【０００５】
図１９において、１は下面開口のケースで、その中央から上方に突出した円筒状の軸受部１Ａを備えており、その軸受部１Ａには貫通孔１Ｂが設けられている。２は上記軸受部１Ａの貫通孔１Ｂに回転可能に挿通された軸部２Ａを有し、下方のフランジ部２Ｂが上記ケース１の開口部内に位置した回転体で、上記フランジ部２Ｂの上面に内側凹凸部２Ｃと外側凹凸部２Ｄが円周上に形成されている。３は中央孔３Ａを備えた蓋板で、その中央孔３Ａに上記回転体２のフランジ部２Ｂから下方に突出した支持部２Ｅが回転可能に嵌め込まれ、上記ケース１の開口部下面を塞いでいる。４は金属板からなるカバーで、中孔４Ａからケース１の軸受部１Ａを上方に突出させて、ケース１の側壁を抱くように配されており、下方の端部が上記蓋板３を下方から押さえるように曲げかしめされている。
【０００６】
そして、５はケース１の開口天面に固定されたリング状のクリックバネで、その対向する両側の円弧状部分が下方に折り曲げられており、曲げられた先端までの長さが長い方が第１バネ部５Ａで、短い方が第２バネ部５Ｂとなっている。この第１バネ部５Ａの先端は、上記回転体２のフランジ部２Ｂに設けられた外側凹凸部２Ｄに弾接しており、第２バネ部５Ｂの先端は、内側凹凸部２Ｃに弾接してクリック装置が構成されている。
【０００７】
以上の構成において、回転体２の軸部２Ａを回転操作すると、回転体２は、ケース１の軸受部１Ａで軸部２Ａが支持され、蓋板３の中央孔３Ａで支持部２Ｅが支持されて回転する。この回転体２の回転により、フランジ部２Ｂ上面に弾接したクリックバネ５の第１バネ部５Ａが、外側凹凸部２Ｄ上を摺動し、第２バネ部５Ｂが、内側凹凸部２Ｃ上を摺動することによって、クリック節度が生じる。
【０００８】
このクリック装置は、第１バネ部５Ａと第２バネ部５Ｂの２つを備えているので、フランジ部２Ｂの外側凹凸部２Ｄと内側凹凸部２Ｃの凹部と凸部の回転中心からの配置角度を同じにすれば、クリック節度は強いものが得られる。また、逆に、外側凹凸部２Ｄと内側凹凸部２Ｃの凹部と凸部の回転中心からの配置角度を１／２ずらした状態に配置すると、クリック節度は弱くなるが、クリック数を２倍にすることができる。
【０００９】
なお、図示はしないが、このクリック装置は、その下方に回転操作型電子部品を配置し、その操作軸部の上部に合わせて回転体２の支持部２Ｅ下端部を凹凸形状等として回転可能に係合させ、上記回転体２の軸部２Ａを回転操作した際、回転操作型電子部品の操作軸部が一体になって回転操作されるようにしたクリック付き回転操作型電子部品として用いることが多いものである。
【００１０】
次に、図２０に示したクリック装置について説明する。
【００１１】
このクリック装置は、図１９に示したクリック装置のクリックバネの配置位置が異なる構成のものである。
【００１２】
つまり、ケース１１の下面開口部内に回転体１２のフランジ部１２Ｂが位置し、軸部１２Ａがケース１１の軸受部１１Ａに回転可能に挿通されると共に、下方の支持部１２Ｄが蓋板１３の中央孔１３Ａに支持され、カバー１４によりケース１１を抱えて蓋板１３の下面で曲げかしめされて全体が組み合わせられていることは同様であるが、リング状のクリックバネ１５が蓋板１３に固定されており、クリックバネ１５の円弧状の両側がそれぞれ上方に向けて曲げられて第１バネ部１５Ａと第２バネ部１５Ｂとされ、それぞれの端部が回転体１２のフランジ部１２Ｂ下面に設けられた凹凸部１２Ｃに弾接して構成されている。
【００１３】
この構成のクリック装置は、第１バネ部１５Ａと第２バネ部１５Ｂが同じ長さで曲げ形成されており、フランジ部１２Ｂ下面に設けられた同じ凹凸部１２Ｃ上を弾接摺動するものである。
【００１４】
したがって、図２０に示したように、フランジ部１２Ｂ下面の凹凸部１２Ｃの凹部と凸部が回転中心に対して対向する位置関係に形成されたものであると、クリック数が多く得られ、凹部と凸部が回転中心に対して同じ位置関係であるとクリック節度の強いクリック装置となる。
【００１５】
この図２０の形態のクリック装置についての動作や使われ方は、図１９のものと同様であるので、説明を省略する。
【００１６】
なお、この出願の発明に関連する先行技術文献情報としては、例えば、特許文献１、特許文献２が知られている。
【特許文献１】特開平９−６３８１２号公報
【特許文献２】特開平８−２２２４１３号公報
【発明の開示】
【発明が解決しようとする課題】
【００１７】
しかしながら上記従来のクリック装置においては、クリックバネ５、１５の弾接力を受けた回転体２、１２が回転すると、支持部材（図１９の場合は、蓋板３の中央孔３Ａ周囲上面であり、図２０の場合は、ケース１１の軸受部１１Ａ下面）との間で摩擦が発生するが、使用される機器の要望にあわせてクリック節度を大きくするためにクリックバネ５、１５からの弾接力を大きくすると、回転体２、１２が支持部材に与える圧力も大きくなり、その間の摩擦が大きくなって、明確なクリック感触が得られ難くなるという課題があった。
【００１８】
本発明は、このような従来の課題を解決するものであり、明確なクリック感触を確保し、かつ大きなクリック節度が得られるクリック付き回転操作型電子部品を提供することを目的とする。
【課題を解決するための手段】
【００１９】
上記目的を達成するために本発明は、以下の構成を有するものである。
【００２０】
本発明の請求項１に記載の発明は、中央孔を有した下面開口の箱型をしたケースと、中孔を有し、上面に備えられた導電部と電気的に接続した端子が設けられ、上記ケースの開口部を塞ぐように配された絶縁基板と、中間部の下側が大径円柱部で、その下面に摺動子が取り付けられると共に中央から下方に向けて下方軸部が突設され、上側が上記大径円柱部と同心の小径円柱部で、その中央から上方に向けて操作軸部が突設されて、上記下方軸部と上記操作軸部が、上記絶縁基板の中孔と上記ケースの中央孔のそれぞれに軸支されて、上記摺動子が上記絶縁基板の導電部上を摺動可能なように配され、上記大径円柱部と上記小径円柱部のそれぞれの外周面に設けられた凹凸部が、回転中心軸に対してそれぞれ点対称で、かつ上記大径円柱部と上記小径円柱部との間で、円周方向に９０度位置が回転されて相互の凹凸位置関係を合わせて設けたものとされた回転体と、弾性金属板からなり、中央部が膨らんだアーチ状に形成された個々の両端部が上記ケースの各側壁の内側それぞれに保持され、上記側壁に保持された対向する１対が、上記回転体の大径円柱部の凹凸部に弾接し、残りの対向する１対が上記回転体の小径円柱部の凹凸部に弾接するクリックバネと、上記絶縁基板を上記ケースの開口部下端に固定するカバーとからなるクリック付き回転操作型電子部品としたものであり、ケースの４辺の側壁にそれぞれクリックバネを配し、回転体の上下２層構成とした円柱部それぞれの外周面に設けた凹凸部に対向する方向から対毎にクリックバネが同期して弾接する構成としたので、クリックバネのバネ圧力が加わっても回転体を傾倒する力や支持部材に押し付ける力が生じないものにでき、明確なクリック感触と大きなクリック節度が得られるクリック付き回転操作型電子部品を実現することができるという作用を有する。
【００２１】
請求項２に記載の発明は、請求項１記載の発明において、クリックバネのアーチ状の頂点部に、回転体の大径円柱部または小径円柱部の凹凸部を摺接する弾接突起とその弾接突起の上端にガイド用突部が絶縁樹脂で一体に設けられ、上記ガイド用突部が上記ケースの各側壁面に対して直交方向に設けられた上記ケースの各ガイド用溝に嵌入されているものであり、弾接突起を絶縁樹脂製のものとしたことによって摺接の摩擦が少なく、またガイド用突部がガイド用溝で案内されるため、凹凸部を摺接する際のアーチ状のクリックバネの弾性変形が偏りなく安定して撓むようにでき、明確で滑らかなクリック感触が得られるものにできるという作用を有する。
【００２２】
請求項３に記載の発明は、請求項２記載の発明において、クリックバネに設けられたガイド用突部が、ケースのガイド用溝の端部で規制されて、上記クリックバネの弾接突起が回転体の外周面から離間状態となるように、上記回転体の外周面が所定の回転操作範囲で小径になされたものであり、クリック節度を発生させない回転操作範囲を設けることが可能で、かつ所望の位置でクリック節度の大きな差を設けることが可能になるという作用を有する。
【００２３】
請求項４に記載の発明は、請求項１記載の発明において、回転体の大径円柱部および小径円柱部の凹凸部を構成する傾斜面において、少なくとも一つの傾斜面が、他の上記凹凸部の傾斜面と異なる傾きとなされたものであり、回転方向によってクリック節度を変更することや、所望の位置でクリック節度の大小を設定することができるという作用を有する。
【発明の効果】
【００２４】
以上のように本発明によれば、クリックバネを箱型のケースの側壁内側に対向して２対配置し、回転体の上下２層構成にした円柱部の外周面それぞれに凹凸部を回転中心軸に点対称に設けて、その凹凸部にクリックバネを対毎に同期して弾接させる構成としたので、クリックバネからのバネ圧力が加わっても回転体を傾倒する力や支持部材に押し付ける力が生じないものにでき、明確なクリック感触と大きなクリック節度を備えたクリック付き回転操作型電子部品が得られるという有利な効果が得られる。
【発明を実施するための最良の形態】
【００２５】
以下、本発明の実施の形態について、図１〜図１８を用いて説明する。
【００２６】
（実施の形態）
図１は本発明の一実施の形態によるクリック付き回転操作型電子部品の正面断面図、図２は同ケースの下面図、図３は図２中のＡ−Ａ線におけるケースの左側面断面図、図４は同回転体の正面図、図５は同回転体の上面図、図６は同クリックバネの上面図、図７は同クリックバネの正面図である。
【００２７】
図１において、２１は中央に軸受孔２１Ａを有し、下面開口の箱型をした絶縁樹脂製のケースで、軸受孔２１Ａの近傍に回転止め用突起２１Ｂが下方に向けて垂設されている。そして、図２、図３に示すように、箱型を構成する４つの側壁２１Ｃそれぞれの内側の両端近傍に、バネ保持用突起２１Ｄが内壁面と僅かな隙間を維持して平行に下方に向けて垂設され、その両端近傍に設けられたバネ保持用突起２１Ｄ間の中央位置には、側壁２１Ｃ面に対して直交する方向にガイド用溝２１Ｅがそれぞれ設けられている。
【００２８】
そして、図１に示す２２は中央に支持孔２２Ａを有し、上記ケース２１の開口部を塞ぐようにその下端に配された矩形の絶縁基板であり、その上面には導電部２２Ｃが配されていると共に、その導電部２２Ｃと電気的に接続した外部接続用の端子２２Ｂが設けられて側部から突出している。
【００２９】
２３は中間部が２層の円柱形状をした絶縁樹脂製の回転体で、図４や図５にも示すように、その２層の下側は、大径で外周面に凹凸部が設けられた大径円柱部２４になり、２層の上側は、大径円柱部２４と同心の小径で外周面に凹凸部が設けられた小径円柱部２７となっている。この大径円柱部２４には、下面中央位置に下方に向けて下方軸部２３Ａが突設され、絶縁基板２２の支持孔２２Ａに回転可能に支持されており、小径円柱部２７の上面中央位置には上方に向けて操作軸部２３Ｂが突設され、上記ケース２１の軸受孔２１Ａに挿通されて回転可能に支持されている。つまり、回転体２３はその上下両端の操作軸部２３Ｂと下方軸部２３Ａが、ケース２１と絶縁基板２２によって回転可能に軸支されている。
【００３０】
そして、大径円柱部２４の下面には弾性金属板からなる摺動子３０が固定されており、回転体２３の回転に伴って、その摺動子３０の先端が、上記絶縁基板２２上面の導電部２２Ｃ上を弾接摺動して、上記端子２２Ｂから電気信号が出力されるようになっている。
【００３１】
さらに、図４、図５に示すように、大径円柱部２４の外周面の凹凸部は、７つの凸部が連続し、それら７つの凸部間が６つの凹部で構成された第１凹凸部２５と、その第１凹凸部２５と同じ構成の第２凹凸部２６が回転中心軸に対して点対称位置に形成されており、小径円柱部２７の外周面の凹凸部は、３つの凸部が連続し、それら凸部間が２つの凹部で構成された第３凹凸部２８と、その第３凹凸部２８と同じ構成の第４凹凸部２９が回転中心軸に対して点対称位置に形成されている。
【００３２】
そして、上記第１凹凸部２５、第２凹凸部２６、第３凹凸部２８、第４凹凸部２９は、隣り合う凹部の最深部間の回転中心からの角度は同じ角度で形成されている。本実施の形態によるものでは、大径円柱部２４、小径円柱部２７共に、隣り合う凹部の最深部間の角度は、２０度で設定している。なお、上記各凹凸部２５，２６，２８，２９の形成されていない範囲は、凹部の最深部と同じかそれより小径に形成されている。
【００３３】
ここに、第１凹凸部２５、第２凹凸部２６の凸部および凹部は、図５に示す上面図で反時計廻り方向順にそれぞれ、第１凸部３１Ａ〜第７凸部３１Ｇ、第１凹部３２Ａ〜第６凹部３２Ｆにより構成されている。また、第３凹凸部２８、第４凹凸部２９の凸部および凹部は、同様に反時計廻り方向順にそれぞれ、上記第１凸部３１Ａ〜第３凸部３１Ｃ、第１凹部３２Ａ〜第２凹部３２Ｂと同形状で設けられている。このために、これらの第３凹凸部２８、第４凹凸部２９の凸部および凹部も反時計廻り方向順に第１凸部３１Ａ〜第３凸部３１Ｃ、第１凹部３２Ａ〜第２凹部３２Ｂの符号を付して以下に説明を続ける。
【００３４】
これら第１凹凸部２５、第２凹凸部２６、第３凹凸部２８、第４凹凸部２９の位置関係は、回転体２３の中心から見て、大径円柱部２４の第１凹凸部２５（または第２凹凸部２６）の第１凹部３２Ａの最深部を基準として、小径円柱部２７の第３凹凸部２８（または第４凹凸部２９）の第１凹部３２Ａの最深部が、円周方向に位置が９０度回転された位置関係でそれぞれの凹凸部が設けられている。
【００３５】
そして、各凹凸部の詳細形状を第１凹凸部２５で代表して説明すると、第１凸部３１Ａと第２凸部３１Ｂは傾斜面が左右対称で同じ形状であり、また第４凸部３１Ｄから第７凸部３１Ｇは、上記第１凸部３１Ａ、第２凸部３１Ｂに比べて傾斜がきつい傾斜面になされた左右対称の同じ形状となっている。第３凸部３１Ｃは、右側の傾斜面が、第１凸部３１Ａ、第２凸部３１Ｂの右側と同じ傾斜面で、左側の傾斜面が第４凸部３１Ｄ〜第７凸部３１Ｇの左側と同じ傾斜面で構成されており、左右の傾斜面が異なっている。
【００３６】
なお、上述したように、第３凹凸部２８と第４凹凸部２９は、上記第１凹凸部２５および第２凹凸部２６を構成する第１凸部３１Ａ〜第３凸部３１Ｃと第１凹部３２Ａ〜第２凹部３２Ｂとからなる一部分と同じ形状で構成されている。
【００３７】
そして、回転体２３の小径円柱部２７の上面には上面視扇形の回転規制用窪み２３Ｃが設けられており、その回転規制用窪み２３Ｃ内に上記ケース２１の回転止め用突起２１Ｂが位置するように組み合わせられている。この回転規制用窪み２３Ｃと回転止め用突起２１Ｂにより、当該回転体２３は、１００度の回転角度範囲で規制されており、大径円柱部２４の右端の第１凹部３２Ａの最深部と左端の第６凹部３２Ｆの最深部間の角度が回転体２３の回転角度範囲である１００度に設定されている。
【００３８】
そして、３３は弾性金属板からなり、図６や図７に示すように、中央部が膨らんだアーチ状に形成された板状のクリックバネで、アーチ状の中央部に絶縁樹脂製の弾接突起３３Ａがアーチ状の膨らんだ方向に突出するように略半円柱形状にアウトサート成形されて設けられている。また、その弾接突起３３Ａの端部からアーチ状に膨らんだ方向に直交する方向となる上方にガイド用突起３３Ｂが絶縁樹脂で一体に形成されて突設されている。
【００３９】
このクリックバネ３３は、図８のクリックバネを保持した状態のケースの下面図に示すように、上記ケース２１の４つの側壁２１Ｃそれぞれの内側に配置されており、その両端部が上記ケース２１のバネ保持用突起２１Ｄと側壁２１Ｃとの隙間に挿入され、ガイド用突起３３Ｂがケース２１のガイド用溝２１Ｅに嵌入された状態でケース２１に保持されている。
【００４０】
そして、図９のクリックバネを保持した状態のケースを正面断面図に示すように、図９で左右方向となるケース２１の開口側である下側に保持された１対の対向するクリックバネ３３の弾接突起３３Ａが、回転体２３の下側の大径円柱部２４の第１凹凸部２５、第２凹凸部２６に弾接し、図９で前後方向となるケース２１開口の奥側である上側に保持された残りの１対の対向するクリックバネ３３の弾接突起３３Ａが、回転体２３の上側の小径円柱部２７の第３凹凸部２８、第４凹凸部２９に弾接している。
【００４１】
３４は金属板からなるカバーで、上面の円形孔からケース２１の軸受孔２１Ａ周囲部と、その軸受孔２１Ａから突出した回転体２３の操作軸部２３Ｂを上方に突出させて、下方に延出した脚部３４Ａがケース２１の側壁２１Ｃ外面に沿い、その先端が折り曲げられて、ケース２１の開口部を塞ぐ上記絶縁基板２２を下面から固定している。
【００４２】
以上のように当該クリック付き回転操作型電子部品は構成され、続いてその動作を説明する。
【００４３】
まず、回転体２３の操作軸部２３Ｂを反時計方向に回転（以下、ＣＣＷ回転と言う）すると、図１０の回転体とクリックバネの関係を示す上面図のように、ケース２１の回転止め用突起２１Ｂが回転体２３の回転規制用窪み２３Ｃの内壁に当接した位置で止まる。このとき、大径円柱部２４に弾接する図１０中の左右方向に位置する１対のクリックバネ３３の弾接突起３３Ａは、第１凹凸部２５、第２凹凸部２６それぞれの第１凹部３２Ａの最深部に位置している。また、小径円柱部２７に弾接する図１０中の上下方向に位置する残りの１対のクリックバネ３３の弾接突起３３Ａは、第３凹凸部２８、第４凹凸部２９それぞれの第１凹部３２Ａの最深部に位置している。
【００４４】
この大径円柱部２４の第１凹凸部２５、第２凹凸部２６と小径円柱部２７の第３凹凸部２８、第４凹凸部２９とそれぞれに弾接するクリックバネ３３の弾接突起３３Ａとの関係を図１１〜図１６の概要図を用いて以下に説明する。
【００４５】
この図１１〜図１６では、円周上に形成された各凹凸部２５、２６、２８、２９を平板上に開いて示しており、また各凸部、凹部の位置関係も合わせて示している。
【００４６】
この図１０、図１１に示す状態から、操作軸部２３Ｂを時計方向に回転（以下、ＣＷ回転と言う）すると、４つのクリックバネ３３は撓みながら、弾接突起３３Ａが大径円柱部２４および小径円柱部２７の第２凸部３１Ｂの右傾斜面をのぼり始めるため、それと共に操作軸部２３Ｂに加える力を大きくする必要があり、その傾斜面を上りきって、第２凸部３１Ｂの頂点部を乗り越えると、操作軸部２３Ｂに力を加えなくてもクリックバネ３３の復元力により第２凸部３１Ｂの左傾斜面を急速に下って第２凹部３２Ｂの最深部にそれぞれ移動し、図１２の状態になる。この弾接突起３３Ａが第２凸部３１Ｂの傾斜面を乗り越える動作によって、クリック節度が生じる。また、このとき操作軸部２３Ｂに加える回転トルクをクリックトルクと呼ぶ。
【００４７】
このクリックトルクの推移グラフを図１７に示す。
【００４８】
図１７は、縦軸がクリックトルクで、横軸が回転角度を示す。また、この図のＣＷ回転では、左から右に向かってグラフが推移している。
【００４９】
そして、図１２に示す状態から、さらに操作軸部２３ＢをＣＷ回転させると、各弾接突起３３Ａが、第２凹部３２Ｂの最深部から第３凸部３１Ｃの頂点部を乗り越えて第３凹部３２Ｃの最深部に至った図１３に示す状態となる。そのときの各弾接突起３３Ａの動作は、上記第２凸部３１Ｂの頂点部を乗り越える際の動作と同じであり、第１凹凸部２５、第２凹凸部２６、第３凹凸部２８、第４凹凸部２９それぞれに弾接するクリックバネ３３の弾接突起３３Ａが乗り越え動作する。
【００５０】
しかし、図１３に示すように、大径円柱部２４側のクリックバネ３３の弾接突起３３Ａは、第３凸部３１Ｃの頂点部を乗り越えた後に第３凹部３２Ｃの最深部に位置しているものの、小径円柱部２７側の外周部は、第３凸部３１Ｃまでしか凹凸が設けられてなく、第３凸部３１Ｃを乗り越えた後は第１凹部３２Ａ、第２凹部３２Ｂの最深部と同じかそれより小径の形状になされており、かつ小径円柱部２７側に弾接しているクリックバネ３３の弾接突起３３Ａは、弾接突起３３Ａと一体に設けられたガイド用突起３３Ｂが、嵌入された上記ケース２１のガイド用溝２１Ｅの端部に当接状態となって規制されるため、小径円柱部２７の外周面から離間した状態に維持される。
【００５１】
従って、第３凸部３１Ｃの頂点部を乗り越えた後は、ずっと大径円柱部２４の第１凹凸部２５と第２凹凸部２６の対向する位置の２ヶ所だけにクリックバネ３３からの圧力が回転体２３に加わるようになる。
【００５２】
さらに、ＣＷ方向に回転させると、大径円柱部２４の第１凹凸部２５と第２凹凸部２６のそれぞれに弾接する２つの弾接突起３３Ａが、図１３の第３凹部３２Ｃの最深部に位置する状態から第４凸部３１Ｄを乗り越えて図１４の第４凹部３２Ｄの最深部に至った状態となる。このときの動作を説明すると、操作軸部２３Ｂの回転に伴い、クリックバネ３３が撓みながら弾接突起３３Ａが、第４凸部３１Ｄの右側の傾斜面をのぼっていき、その頂点部を乗り越えると左側の傾斜面を勢いよく下って、第４凹部３２Ｄの最深部に至り、３つ目のクリック節度が発生する。
【００５３】
この第４凸部３１Ｄの右側の傾斜面は上述の第１凸部３１Ａ〜第３凸部３１Ｃの右側の傾斜面より傾斜がきつくなされており、本実施の形態では、２つのクリックバネ３３の圧力になっても、上述の４つのクリックバネ３３による、クリックトルクと変わらないようにしている。
【００５４】
そして、以降の第５凸部３１Ｅ、第６凸部３１Ｆの形状は、第４凸部３１Ｄと同じであるので、第４凹部３２Ｄの最深部から第５凸部３１Ｅを乗り越えて図１５の第５凹部３２Ｅの最深部に至る動作やクリックトルク、さらに第５凹部３２Ｅの最深部から第６凸部３１Ｆを乗り越えて図１６の第６凹部３２Ｆの最深部に至る動作やクリックトルクは同じであるため、その詳細説明は省略する。
【００５５】
次に、図１６の大径円柱部２４の第１凹凸部２５と第２凹凸部２６のそれぞれの第６凹部３２Ｆの最深部にクリックバネ３３の弾接突起３３Ａが位置し、小径円柱部２７に対応した残りの２つのクリックバネ３３の弾接突起３３Ａが小径円柱部２７の外周面から離間した状態から、操作軸部２３ＢをＣＣＷ回転させた動作を説明する。
【００５６】
このときのクリックトルクの推移グラフを図１８に示す。
【００５７】
図１８は、図１７と同じように縦軸がクリックトルクで、横軸が回転角度であるが、グラフは、右から左に向かって推移している。
【００５８】
回転体２３の大径円柱部２４の第１凹凸部２５および第２凹凸部２６に弾接する弾接突起３３Ａが、図１６に示す第６凹部３２Ｆの最深部から第６凸部３１Ｆを乗り越えて第５凹部３２Ｅの最深部に至る動作およびクリックトルク、また第５凹部３２Ｅの最深部から第５凸部３１Ｅを乗り越えて第４凹部３２Ｄの最深部に至る動作およびクリックトルク、さらに第４凹部３２Ｄの最深部から第４凸部３１Ｄを乗り越えて第３凹部３２Ｃの最深部に至る動作およびクリックトルクは、回転方向が異なるが上述のＣＷ回転時のものとそれぞれ同じであるので説明を省略する。
【００５９】
さらに、ＣＣＷ回転すると、弾接突起３３Ａが、第３凹部３２Ｃの最深部から第３凸部３１Ｃを乗り越えて第２凹部３２Ｂの最深部に至る。
【００６０】
このときの動作としては、第３凸部３１Ｃの左側の傾斜面は、それまでの第６凸部３１Ｆ〜第４凸部３１Ｄの左側の傾斜面と同じ傾きの傾斜面であるが、第３凸部３１Ｃを乗り越える際は、小径円柱部２７の第３凸部３１Ｃへもクリックバネ３３の弾接突起３３Ａが傾斜面を乗り越えるようになるため、それまでの２倍のクリックトルクが発生する。
【００６１】
そして、第２凹部３２Ｂの最深部から第２凸部３１Ｂを乗り越えて第１凹部３２Ａの最深部に弾接突起３３Ａが移動する際は、４つの弾接突起３３Ａがそれぞれの第２凸部３１Ｂを乗り越えても、上述のＣＣＷ回転で、第６凸部３１Ｆ、第５凸部３１Ｅ、第４凸部３１Ｄそれぞれを２つのクリックバネ３３が乗り越える際のクリックトルクと同じクリックトルクとなるように、第２凸部３１Ｂを構成する傾斜面はゆるく形成されている。
【００６２】
つまり、本実施の形態によるものでは、回転体２３の大径円柱部２４および小径円柱部２７の外周面に設けた各凹凸部の第１凸部３１Ａ、第２凸部３１Ｂの傾斜面を、第４凸部３１Ｄ〜第７凸部３１Ｇの傾斜面とは異なる緩やかな傾きの傾斜面にして、そのクリックトルクを半減させ、その反面、クリックバネ３３が弾接する箇所を、大径円柱部２４の２ヶ所から小径円柱部２７の２ヶ所を加えた４ヶ所で弾接するように変更されるものとして、両者を相殺させ、大径円柱部２４の２ヶ所の弾接状態と同じクリックトルクが得られるものとしている。
【００６３】
また、回転体２３には、大径円柱部２４の対向する２方向と、小径円柱部２７の対向する２方向とからクリックバネ３３の圧力が加わっているため、従来になく大きなクリック節度が得られると共に、クリックバネ３３の圧力のバランスがとれて、回転体２３を傾倒させる力や支持部材に押し付ける力が生じることがなく、明確なクリック感触を得ることができる。
【００６４】
そして、クリックバネ３３のアーチ状の頂点部に絶縁樹脂製の弾接突起３３Ａがアウトサート成形されて設けられているため、絶縁樹脂製の回転体２３の大径円柱部２４および小径円柱部２７の外周面の各凹凸部への弾接摺動による摩擦の影響を低減して、滑らかなクリック感触が得られる。
【００６５】
また、クリックバネ３３の弾接突起３３Ａが各凹凸部を弾接摺動する際に、弾性変形と弾性復元の動作をするが、弾接突起３３Ａと一体のガイド用突起３３Ｂがケース２１のガイド用溝２１Ｅに嵌入されて案内され、大径円柱部２４および小径円柱部２７の外周面に鉛直な方向から常に弾接するようにできるため、クリックバネ３３のアーチ状の中央部を中心に左右バランス良く安定して撓み動作するものにでき、これも明確で滑らかなクリック感触が得られることに寄与している。
【００６６】
そして、クリックバネ３３は、ケース２１の側壁２１Ｃに平行に間隔を維持して設けられたバネ保持用突起２１Ｄと側壁２１Ｃとの間で、両端部それぞれを保持させて装着される構成としているために、動作時にその保持部分からの規制度合いも少なく滑らかな弾性変形と弾性復元動作がなされて明確なクリック感触が得られるものにできる。
【００６７】
また、クリックバネ３３の弾接突起３３Ａと一体に設けたガイド用突起３３Ｂがケース２１のガイド用溝２１Ｅの端部で規制され、かつその際に、弾接突起３３Ａが回転体２３の外周面から離間状態となるように小径円柱部２７の外周面を小径にしたので、小径円柱部２７側では所望の位置でクリック節度を発生させないことが可能で、かつクリック節度の大きな差を設けることも可能である。
【００６８】
なお、当該実施の形態によるものとは逆に、回転体の大径円柱部の外周面の第１凹凸部、第２凹凸部の凹凸の数を、小径円柱部の外周面の第３凹凸部、第４凹凸部の凹凸の数より少ない形態としても良く、その場合は、弾接突起が所定の回転操作範囲で大径円柱部の外周面から離間するように設定すれば良い。
【産業上の利用可能性】
【００６９】
本発明のクリック装置を用いたクリック付き回転操作型電子部品は、所望の位置でクリック節度の大小を設定したり、クリック節度を無くしたりすることが可能で、かつ明確なクリック感触と大きなクリック節度が得られ、その組み合わせによりカーエアコンなどの車載用制御装置の回転操作部等を多種多様な構成とするのに有用である。
【図面の簡単な説明】
【００７０】
【図１】本発明の一実施の形態によるクリック付き回転操作型電子部品の正面断面図
【図２】同ケースの下面図
【図３】図２のＡ−Ａ線におけるケースの左側面断面図
【図４】同回転体の正面図
【図５】同回転体の上面図
【図６】同クリックバネの上面図
【図７】同クリックバネの正面図
【図８】同クリックバネを保持した状態のケースの下面図
【図９】同クリックバネを保持した状態のケースの正面断面図
【図１０】回転体とクリックバネの関係を示す上面図
【図１１】クリックバネの弾接突起と各凹凸部との関係を説明する概要図
【図１２】クリックバネの弾接突起と各凹凸部との関係を説明する概要図
【図１３】クリックバネの弾接突起と各凹凸部との関係を説明する概要図
【図１４】クリックバネの弾接突起と各凹凸部との関係を説明する概要図
【図１５】クリックバネの弾接突起と各凹凸部との関係を説明する概要図
【図１６】クリックバネの弾接突起と各凹凸部との関係を説明する概要図
【図１７】ＣＷ回転におけるクリックトルクの推移グラフ
【図１８】ＣＣＷ回転におけるクリックトルクの推移グラフ
【図１９】従来のクリック装置の断面図
【図２０】従来の他の形態のクリック装置の断面図
【符号の説明】
【００７１】
２１  ケース
２１Ａ  軸受孔
２１Ｂ  回転止め用突起
２１Ｃ  側壁
２１Ｄ  バネ保持用突起
２１Ｅ  ガイド用溝
２２  絶縁基板
２２Ａ  支持孔
２２Ｂ  端子
２２Ｃ  導電部
２３  回転体
２３Ａ  下方軸部
２３Ｂ  操作軸部
２３Ｃ  回転規制用窪み
２４  大径円柱部
２５  第１凹凸部
２６  第２凹凸部
２７  小径円柱部
２８  第３凹凸部
２９  第４凹凸部
３０  摺動子
３１Ａ  第１凸部
３１Ｂ  第２凸部
３１Ｃ  第３凸部
３１Ｄ  第４凸部
３１Ｅ  第５凸部
３１Ｆ  第６凸部
３１Ｇ  第７凸部
３２Ａ  第１凹部
３２Ｂ  第２凹部
３２Ｃ  第３凹部
３２Ｄ  第４凹部
３２Ｅ  第５凹部
３２Ｆ  第６凹部
３３  クリックバネ
３３Ａ  弾接突起
３３Ｂ  ガイド用突起
３４  カバー
３４Ａ  脚部
【図１】
2009123481.tif 000003
【図２】
2009123481.tif 000004
【図３】
2009123481.tif 000005
【図４】
2009123481.tif 000006
【図５】
2009123481.tif 000007
【図６】
2009123481.tif 000008
【図７】
2009123481.tif 000009
【図８】
2009123481.tif 000010
【図９】
2009123481.tif 000011
【図１０】
2009123481.tif 000012
【図１１】
2009123481.tif 000013
【図１２】
2009123481.tif 000014
【図１３】
2009123481.tif 000015
【図１４】
2009123481.tif 000016
【図１５】
2009123481.tif 000017
【図１６】
2009123481.tif 000018
【図１７】
2009123481.tif 000019
【図１８】
2009123481.tif 000020
【図１９】
2009123481.tif 000021
【図２０】
2009123481.tif 000022